(57)【要約】【課題】裏糊付きの長尺状の粘着テープなどから切り取ったテープ片に貼着場所から剥がすときの抓み部分を自動的に形成できる印刷装置及びカッター刃を提供する。【解決手段】印刷装置１００は、ロール状に巻回された粘着テープ６が装着されるテープ収納部と、テープ収納部から粘着テープ１を搬送する搬送部２５と、搬送される粘着テープ１の一方の面に印刷を施す印刷ヘッド３１と、搬送部２５によって搬送された粘着テープ６の一端部側が最も湾曲して切断されるように、最も大きく湾曲している湾曲部５−２が刃先の一端部側に形成されているカッター刃５と、を備える。【選択図】図６
2014227257.tif 000002
【特許請求の範囲】
【請求項１】
ロール状に巻回された粘着テープが装着されるテープ収納部と、
前記テープ収納部から前記粘着テープを搬送する搬送部と、
搬送される前記粘着テープの一方の面に印刷を施す印刷ヘッドと、
前記搬送部によって搬送された前記粘着テープの一端部側が最も湾曲して切断されるように、最も大きく湾曲している湾曲部が刃先の一端部側に形成されているカッター刃と、
を備えることを特徴とする印刷装置。
【請求項２】
前記カッター刃の刃先は、前記湾曲部の湾曲より小さいギザギザのノコギリ状の形状の波刃になっている、
ことを特徴とする請求項１記載の印刷装置。
【請求項３】
粘着テープの幅方向に刃先を当てて前記粘着テープをテープ片に切断したとき、切断された前記テープ片の切断部の一端部側が最も湾曲して切断されるように、最も大きく湾曲している湾曲部を刃先の一端部側に有する、
ことを特徴とするカッター刃。
【請求項４】
前記粘着テープに対し前記カッター刃の前記刃先を垂直に当てたとき、平面視して前記刃先の前記一端部側が前記湾曲部を形成している、
ことを特徴とする請求項３記載のカッター刃。
【請求項５】
前記粘着テープに対し前記カッター刃の前記刃先を前記粘着テープの面と平行に配置させたとき、平面視して前記刃先の前記一端部側が前記湾曲部を形成している、
ことを特徴とする請求項３記載のカッター刃。
【発明の詳細な説明】
【技術分野】
【０００１】
本発明は、裏糊付きの長尺状の粘着テープなどから切り取ったテープ片に貼着場所から剥がすときの抓み部分を自動的に形成できる印刷装置及びカッター刃に関する。
【背景技術】
【０００２】
従来、透明、半透明、又は不透明の、一般には粘着テープといわれている長尺状の裏糊付き粘着テープがある。また、このような裏糊付き粘着テープをロール状に巻回して収容し、所望の長さの印刷したテープ片として切り出すテープ印刷装置が提案されている。（例えば、特許文献１参照。）
【０００３】
切り出された裏糊付きテープ片は、所望の場所に貼着される。部材と部材を固定するために用いられる透明粘着テープは固定する両部材間に跨って貼着される、補充用消耗品などを収納する保管箱に貼り付けて用いられる不透明粘着テープは、中身の収納品が何かを示す覚え書きの文言などを印刷されて保管箱の正面などに貼着される。
【０００４】
ところで、このような粘着テープは、同一箇所にいつまでも用いられていることはなく、例えば年に一度の大掃除の際に、周囲の汚れを拭き取って貼り替えたり、中身を印刷された粘着テープが貼られている保管箱等が不要になって捨てる際、秘密性保護のため目印となる印刷付き粘着テープを取り除く作業が必要となる。
【０００５】
ところが、粘着テープは一度物に貼り付けると、大変剥がしにくいことは経験的によく知られている。この場合、粘着テープの角等に指の爪を立てて剥がしに取り掛かるのが一般的である。また、現在、誰からともなく広まって、粘着テープ等を物に貼着する際に剥がすための抓みを手作業で作ることが知られている。
【０００６】
図１(a)〜(d)は、従来の粘着テープ等を物に貼着する際に手作業で作られる剥がすときのための抓みの作成手順を示す図である。図１(a)は長尺状の粘着テープ１の先端部１−１をテープ片として切り取るべく、カッター刃２の刃先２−１を切り取り箇所に当てている図である。
【０００７】
図１(b)は、長尺状の粘着テープ１本体から切り取られたテープ片３を示す図である。そして、図１(c)は、テープ片３の長手方向の一端を矢印ａで示すように折り曲げて抓み部３−１を形成した図を示している。また、図１(d)はテープ片３の一つの角を矢印ｂのように折り曲げて抓み部３−２を形成した図を示している。
【０００８】
図１(a)〜(d)は、粘着テープ１の図１の紙面奥行き方向向う側が粘着面になっているものとして示している。抓み部３−１又は抓み部３−２は、折り曲げ部を下側に折り曲げ、更に粘着面に押し付けて粘着面と重ねて貼り付けられ、粘着面に非粘着部を形成する。所望の箇所に接着させたテープ片３を後で剥がすとき、非粘着部が抓み部となるため剥がし作業が容易となる。
【先行技術文献】
【特許文献】
【０００９】
【特許文献１】特開２０１２−００６２８９号公報
【発明の概要】
【発明が解決しようとする課題】
【００１０】
しかしながら、いずれの方法にしても、実際に長尺状の粘着テープからテープ片を切り出すたびに図１(c),(d)に示すような抓み部３−１や抓み部３−２を指先で形成する作業は面倒であり、よほど几帳面か器用な者でない限り、知ってはいても中々実行できる作業ではない。
【００１１】
本発明は、上記従来の課題を解決するものであって、裏糊付きの長尺状の粘着テープなどから切り取ったテープ片に貼着場所から剥がすときの抓み部分を自動的に形成できる印刷装置及びカッター刃を提供することを目的とする。
【課題を解決するための手段】
【００１２】
上記課題を解決するために、本発明の印刷装置は、ロール状に巻回された粘着テープが装着されるテープ収納部と、上記テープ収納部から上記粘着テープを搬送する搬送部と、搬送される上記粘着テープの一方の面に印刷を施す印刷ヘッドと、上記搬送部によって搬送された上記粘着テープの一端部側が最も湾曲して切断されるように、最も大きく湾曲している湾曲部が刃先の一端部側に形成されているカッター刃と、を備えるように構成される。
【００１３】
上記課題を解決するために、本発明のカッター刃は、粘着テープの幅方向に刃先を当てて上記粘着テープをテープ片に切断したとき、切断された上記テープ片の切断部の一端部側が最も湾曲して切断されるように、最も大きく湾曲している湾曲部を刃先の一端部側に有する、ように構成される。
【発明の効果】
【００１４】
本発明は、裏糊付きの長尺状の粘着テープなどから切り取ったテープ片に貼着場所から剥がすときの抓み部分を自動的に形成できるカッター刃及びカッター刃を備えた印刷装置を提供することができる。
【図面の簡単な説明】
【００１５】
【図１】(a)〜(d)は従来の粘着テープ等を物に貼着する際に手作業で作られる剥がすときのための抓みの作成手順を示す図である。
【図２】本発明に係る印刷装置の外観を示す斜視図である。
【図３】本発明に係る印刷装置の上蓋を開いた状態を示す斜視図である。
【図４】本発明に係る印刷装置の内部構造を示す断面模式図である。
【図５】(a)は実施例１に係るカッター刃を長尺状の粘着テープと共に示す平面図、(b)は(a)を矢印ｃ方向から見た斜視図である。
【図６】(a)〜(d)は実施例１に係るカッター刃の動作状態とその作用を説明する図である。
【図７】(a)は実施例２に係るカッター刃の構成を切断対象の粘着テープと共に示す平面図、(b),(c)は本例のカッター刃の動作状態とその作用を説明する図である。
【発明を実施するための形態】
【００１６】
以下、本発明の実施の形態について、図面を参照しながら詳細に説明する。
［実施例１］
【００１７】
本発明に係るカッター刃５及びカッター刃５を備えた印刷装置１００は、図２に示すように、上面を形成するカバー部１１の前端に印刷された粘着テープ６が排出される開口部１７を有し、内部に粘着テープ６を収納すると共に印刷ヘッド３１を備え、パーソナルコンピュータやラベル作成用の文字入力装置からの印刷データを受けるプラグ端子１９を本体部１５に有する印刷装置１００である。印刷装置１００には、印刷装置１００の作動状態を示す表示デバイスに相当するランプ（ＬＥＤ）１８が備えられている。
【００１８】
この印刷装置１００は、図３に示すように、カバー部11の内側先端近傍に印刷ヘッド３１としてのサーマルヘッド３３やカッター刃５を有し、カバー部11の内側に設けたサーマルヘッド３３の位置に対向する位置の本体部１５には、印刷テープを搬送するプラテンローラ等の搬送ローラ２５を有し、サーマルヘッド３３と搬送ローラ25とで挟持した粘着テープ６を搬送ローラ２５で送り出しつつ、文字や記号、模様などの印刷をサーマルヘッド３３により行っている。
【００１９】
そして、印刷された粘着テープ６は、図２に示した開口部17から排出され、開口部17から排出された粘着テープ６を開口部17の位置でカッター刃５を用いて破断できるようにされている。
【００２０】
また、ロール状の粘着テープ６は、本体部１５の奥側に形成されたテープ収納部に収納され、図４に示すように、テープコア６５に巻回されてロール状とされたものから引き出された粘着テープ６がサーマルヘッド３３と搬送ローラ２５との間に挟まれて印刷が行われた後、搬送経路の下方に設置される略三角形の板状の支持部１４により粘着テープ６を支持して内部下方への巻きこみを防止しながら、媒体カット機構であるカッター刃５の下方を通過して開口部１７から筐体の外部に送り出されるものである。
【００２１】
なお、この粘着テープ６は、例えば感熱紙テープとされ、一面に再剥離可能な弱粘着性の粘着剤が塗布された合成紙であって、粘着剤が塗布された面と逆の面には剥離コーティングが施され、テープコア６５に長尺の感熱紙テープが巻回されるものである。
【００２２】
もっとも、印刷ヘッド３１がサーマルヘッド３３で構成されるものでなく、インクジェット式などの印刷ヘッド３１の場合は、感熱紙以外の粘着テープ６が用いられることもある。
【００２３】
そして、このテープ収納部は、図３及び図４に示したように、本体部１５における左右の側壁１６の内側に配置された左右の内壁板21の間に形成され、左右の内壁板21に設けられた上方を開口するＵ字形のガイド部の下端でテープコア６５の両端を支持し、ロール状とされた粘着テープ６を回転可能に保持するものである。
【００２４】
また、この左右の内壁板２１の間には、中間に補助ローラ２７が設けられ、前方の端部近くの左右の内壁板２１の間に搬送ローラ25が設けられるものであり、内壁板２１と側壁１６との間の空間に駆動機構や制御回路が配置されるものである。
【００２５】
図５(a)は、実施例１に係るカッター刃５を長尺状の粘着テープ６と共に示す平面図であり、図５(b)は、図５(a)を矢印ｃ方向から見た斜視図である。図５(a),(b)に示すように、本例のカッター刃５は、長尺状の粘着テープ６を長手方向と直交する幅方向に切断するためのものである。
【００２６】
図５(a),(b)に示すように、このカッター刃５の刃先５−１を粘着テープ６に垂直に当てて接触させたとき、刃先５−１がカッター刃５本体と一体になって、後述する抓み用の湾曲部に対応する湾曲部５−２を形成している。
【００２７】
図６(a)〜(d)は、本例のカッター刃５の動作状態とその作用を説明する図である。図６(a)は、図５(b)と同一の状態を示している。ただし、図６(a)には、ロール状の粘着テープ６から粘着テープ６の先端部６−１を引き出した状態で示している。
【００２８】
粘着テープ６は、一方の面に接着剤等が塗布されたテープである。粘着テープ６としては、紙の一方の面に接着剤が塗布された紙粘着テープ類が望ましい。しかし、他に、布粘着テープ類、フィルム粘着テープ類、その他の粘着テープ類を用いても良い。テープ本体の材料となる基材としては、紙以外に、布、フィルム（セロハン、ＯＰＰ、アセテートなど）、金属箔等を使用することもできる。
【００２９】
更に、粘着テープ６の具体的な例としては、基材にセロファンを用いたセロファンテープ、基材にクラフト紙を用いたクラフト粘着テープ、基材に布を用いた布粘着テープ。基材に延伸ポリプロピレン (ＯＰＰ)を用いたＯＰＰ粘着テープ、基材にアルミ箔を用いたアルミテープ、ビニールテープ、軟質ポリ塩化ビニル、ポリエステルテープ、ポリエチレンテープ、ポリイミドテープ、ガラスクロステープ、複数素材を張り合わせるか布を樹脂で含浸した複合粘着テープ等を使用することができる。
【００３０】
なお、図６(a)〜(d)には、図５(a),(b)に示した構成と同一の構成部分には図５(a),(b)と同一の番号を付与して示している。また、粘着テープ６はロール状となって、不図示の裁断装置に装着されているものとし、カッター刃５は、裁断装置のテープ引き出し口に固定して取り付けられているものとする。
【００３１】
図６(b)は、ユーザが裁断装置を左手に持ち、右手の指先７で粘着テープ６の先端部６−１を裁断装置のテープ引き出し口から引き出した状態を示している。
【００３２】
この状態で、図６(c)に矢印ｄで示すように、ユーザが右手の指先７で粘着テープ６の先端部６−１を、右上方向に持ち上げながら手前方向（図の下方向）に引っ張ることにより、粘着テープ６の先端部６−１は、カッター刃５の刃先５−１により順次粘着テープ６から切り離されていく。
【００３３】
そして、図６(d)に示すように、先端部６−１がテープ片８として、矢印ｅで示すように粘着テープ６から完全に切り離されたとき、切断されたテープ片８の切断部の一方の側部に抓み用の湾曲部８−１が形成されている。この湾曲部８−１は、カッター刃５が刃先５−１の一方の端部に有する湾曲部５−２によって切断されて形成されたものである。
【００３４】
このように、テープ片８の切断部の一方の側部に抓み用の湾曲部８−１が形成されていると、テープ片８が所望の場所に貼着された後、このテープ片８を後日貼着場所から剥がすとき、抓み用の湾曲部８−１があるので、この湾曲部８−１に指先の爪を当てて容易に剥がすことができる。
【００３５】
上記のように刃先５−１が粘着テープ６の面に対して垂直に立って配置されるカッター刃の形状は、例えば、基材となるセロファンの片面に接着剤を塗り、細長い帯状にしたセロファンテープの裁断装置に多く採用されているので、本例のカッター刃５をセロファンテープ等の裁断装置に取り付けると便利である。
【００３６】
また、他方の面の全面に粘着材が塗布された付箋紙のようなラベル紙の一方の面に印刷できるラベルライターにおいて、ラベル紙をこのようなカッター刃５を用いて手でちぎる際に利用できる。
［実施例２］
【００３７】
図７(a)は実施例２に係るカッター刃１０の構成を切断対象の粘着テープ６と共に示す平面図であり、図７(b),(c)は、本例のカッター刃１０の動作状態とその作用を説明する図である。なお、図７(b),(c)には、図６(a)〜(d)に示した構成と同一構成部分には図６(a)〜(d)と同一の番号を付与して示している。
【００３８】
図７(a)〜(c)に示す本例のカッター刃１０も、長尺状の粘着テープ６を長手方向と直交する幅方向に切断するためのものである。図７(a)に示すように、本例のカッター刃１０は、粘着テープ６の面と平行に配置、つまり粘着テープ６に対して刃先１０−１を粘着テープ６の面に沿って寝かせて配置される。
【００３９】
また、このカッター刃１０は、刃先がギザギザのノコギリ状の形状の波刃になっている。つまり、カッター刃１０刃先の一端部側に湾曲部が形成されているが、カッター刃１０の刃先には湾曲部の湾曲以上の大きさの凹部は形成されていない。
【００４０】
つまり、搬送部によって搬送された粘着テープ６の一端部側が最も湾曲して切断されるように、最も大きく湾曲している湾曲部がカッター刃１０の刃先１０−１の一端部側に形成されている。この状態において、カッター刃１０の刃先１０−１は、図７(c)に示す抓み用の湾曲部８−１に対応する湾曲部１０−２を形成している。
【００４１】
本例では、実施例１のようにカッター刃５本体と刃先５−１が一体となって湾曲部５−２を形成するのではなく、本例の場合は、平板状のカッター刃１０の刃先１０−１が、その側部側を湾曲状に切り欠かれて、その湾曲部１０−２にも刃先が形成されている形状となっている。
【００４２】
この状態で、図７(b)に矢印ｆで示すように、ユーザが右手の指先７で粘着テープ６の先端部６−１を右上方向に持ち上げながら手前（図の下方）に引っ張ることにより、粘着テープ６の先端部６−１は、カッター刃１０の刃先１０−１により順次粘着テープ６から切り離されていく。
【００４３】
そして、図７(c)に示すように、先端部６−１がテープ片８として、矢印ｇで示すように粘着テープ６から完全に切り離されたとき、切断されたテープ片８の切断部の一方の側部に抓み用の湾曲部８−１が形成されている。この湾曲部８−１も、カッター刃１０が刃先１０−１の一方の端部に有する湾曲部１０−２によって切断されて形成されたものである。
【００４４】
このように、本例の場合も、テープ片８の切断部の一方の側部に抓み用の湾曲部８−１が形成されるので、テープ片８が所望の場所に貼着された後、このテープ片８を後日貼着場所から剥がすとき、抓み用の湾曲部８−１に指先の爪を当てて容易に剥がすことができる。
【００４５】
このように、本例のカッター刃５、１０は、裏糊を有する長尺状の粘着テープ６などを所望の長さのテープ片８に切り取る際、切り取ったテープ片８を所望の場所に貼着して後日そのテープ片８を貼着場所から剥がすとき剥がし易いように、テープ片８に抓み用の湾曲部８−１を自動的に形成することができる。
【００４６】
本発明のいくつかの実施形態を説明したが、本発明は特許請求の範囲に記載された発明とその均等の範囲に含まれる。以下に、本願出願の当初の特許請求の範囲に記載された発明を付記する。
[付記１]
【００４７】
ロール状に巻回された粘着テープが装着されるテープ収納部と、
前記テープ収納部から前記粘着テープを搬送する搬送部と、
搬送される前記粘着テープの一方の面に印刷を施す印刷ヘッドと、
前記搬送部によって搬送された前記粘着テープの一端部側が最も湾曲して切断されるように、最も大きく湾曲している湾曲部が刃先の一端部側に形成されているカッター刃と、
を備えることを特徴とする印刷装置。
[付記２]
【００４８】
前記カッター刃の刃先は、前記湾曲部の湾曲より小さいギザギザのノコギリ状の形状の波刃になっている、
ことを特徴とする付記１記載の印刷装置。
[付記３]
【００４９】
粘着テープの幅方向に刃先を当てて前記粘着テープをテープ片に切断したとき、切断された前記テープ片の切断部の一端部側が最も湾曲して切断されるように、最も大きく湾曲している湾曲部を刃先の一端部側に有する、
ことを特徴とするカッター刃。
[付記４]
【００５０】
前記粘着テープに対し前記カッター刃の前記刃先を垂直に当てたとき、平面視して前記刃先の前記一端部側が前記湾曲部を形成している、
ことを特徴とする付記３記載のカッター刃。
[付記５]
【００５１】
前記粘着テープに対し前記カッター刃の前記刃先を前記粘着テープの面と平行に配置させたとき、平面視して前記刃先の前記一端部側が前記湾曲部を形成している、
ことを特徴とする付記３記載のカッター刃。
【産業上の利用可能性】
【００５２】
本発明は、裏糊付きの長尺状の粘着テープなどから切り取ったテープ片に貼着場所から剥がすときの抓み部分を自動的に形成できる印刷装置及びカッター刃に利用することができる。
【符号の説明】
【００５３】
１  粘着テープ
１−１  先端部
２  カッター刃
２−１  刃先
３  テープ片
３−１、３−２  抓み部
５  カッター刃
５−１  刃先
５−２  湾曲部
６  粘着テープ
６−１  先端部
７  指先
８  テープ片
８−１  湾曲部
１０  カッター刃
１０−１  刃先
１０−２  湾曲部
１１    カバー部
１４    支持部
１５    本体部
１６    側壁
１７    開口部
１９    プラグ端子
２１    内壁部
２３    フレーム
２５    搬送ローラ
２７    補助ローラ
３１    印刷ヘッド
３３    サーマルヘッド
３５    基台
３７    ヘッド支持部
３９    ヘッドスプリング
４３    カッター刃支持部
４５    カッター刃取付ピン
１００  印刷装置
【図１】
2014227257.tif 000003
【図５】
2014227257.tif 000004
【図２】
2014227257.tif 000005
【図３】
2014227257.tif 000006
【図４】
2014227257.tif 000007
【図６】
2014227257.tif 000008
【図７】
2014227257.tif 000009